(57)【要約】【課題】フレキシブル配線基板と接続されるアクチュエータの位置調整を容易とする光ピックアップ装置およびその製造方法を提供する。【解決手段】本発明では、ハウジング２８の一主面に段差部４８を設けている。そして、アクチュエータ３６と接続されたフレキシブル配線基板３８の途中部分に曲折部５０を設け、この曲折部５０をハウジング２８の段差部２８に密着させている。フレキシブル配線基板３８に曲折部５０を設けることにより、位置調整のためにアクチュエータ３６を移動させても、この移動に伴いフレキシブル配線基板３８に応力が残存することが抑制される。【選択図】図２
2012043498.tif 000002
【特許請求の範囲】
【請求項１】
第１主面と第２主面とを有するハウジングと、
対物レンズを移動可能に保持するアクチュエータと、
前記アクチュエータと電気的に接続されたフレキシブル配線基板と、を備え、
前記ハウジングの前記第２主面を段差形状にした段差部に、前記フレキシブル配線基板の途中部分を曲折した曲折部を配置することを特徴とする光ピックアップ装置。
【請求項２】
前記フレキシブル配線基板は、前記ハウジングの前記前記第２主面を部分的に窪ませた凹状領域に収納されることを特徴とする請求項１に記載の光ピックアップ装置。
【請求項３】
前記アクチュエータは、前記第１主面側から前記第２主面に一部が露出する様に前記ハウジングに組み込まれ、
前記フレキシブル配線基板は、前記第２主面側から前記ハウジングの内部まで引き回されて前記アクチュエータに接続されることを特徴とする請求項１または請求項２に記載の光ピックアップ装置。
【請求項４】
前記フレキシブル配線基板を部分的に設けた切り欠き部が、前記ハウジングの前記第２主面を部分的に突出させた突起部に嵌めこまれることを特徴とする請求項１から請求項３の何れかに記載の光ピックアップ装置。
【請求項５】
絶縁性接着材を介して前記フレキシブル配線基板が前記ハウジングの前記第２主面に固着されることを特徴とする請求項１から請求項４の何れかに記載の光ピックアップ装置。
【請求項６】
前記フレキシブル配線基板の端部は、メイン基板と接続されることを特徴とする請求項１から請求項５の何れかに記載の光ピックアップ装置。
【請求項７】
情報記録媒体にレーザー光を放射し、前記情報記録媒体で反射した前記レーザー光を検出する光ピックアップ装置の製造方法であり、
第１主面と第２主面とを有するハウジングを用意し、対物レンズを移動可能に保持するアクチュエータを、フレキシブル配線基板に接続された状態で、前記ハウジングに組み込む工程と、
前記対物レンズに前記レーザー光を放射させつつ、前記アクチュエータの位置を調整する工程と、を備え、
前記組み込む工程では、前記フレキシブル配線基板の途中部分に設けた曲折部を、前記ハウジングの前記第２主面に設けた段差部に配置し、
前記位置を調整する工程では、前記アクチュエータの位置調整に伴い、フレキシブル配線基板の前記曲折部が変形することを特徴とする光ピックアップ装置の製造方法。
【請求項８】
前記位置を調整する工程が終了した後に、接着材を介して前記フレキシブル配線基板を前記ハウジングに固着することを特徴とする請求項７に記載の光ピックアップ装置の製造方法。
【請求項９】
前記位置を調整する工程では、前記フレキシブル配線基板はメイン基板と接続されていることを特徴とする請求項７または請求項８に記載の光ピックアップ装置の製造方法。
【発明の詳細な説明】
【技術分野】
【０００１】
本発明は、光ピックアップ装置およびその製造方法に関する。特に本発明は、フレキシブル配線基板を経由してアクチュエータが接続される光ピックアップ装置およびその製造方法に関する。
【背景技術】
【０００２】
光ピックアップ装置は、発光素子から放射される所定の波長のレーザー光を光ディスクに照射し、光ディスクの情報記録層で反射したレーザー光を受光素子で検出する機能を備えている（特許文献１）。このことにより、光ディスクに対して、情報の読取動作または書込動作が行われる。
【０００３】
また、光ピックアップ装置では、光ディスクに対して正確にレーザー光を照射させるために、光ディスクの情報記録層で反射したレーザー光を検出することにより、トラッキングサーボおよびフォーカスサーボを行っている。ここで、フォーカスサーボとは、光ディスクの情報記録層に正確にレーザー光を合焦させるための調整機構である。また、トラッキングサーボとは、光ディスクのトラックにレーザー光を追従させるための調整機構である。
【先行技術文献】
【特許文献】
【０００４】
【特許文献１】特開２００５−２１６４３６号公報
【発明の概要】
【発明が解決しようとする課題】
【０００５】
このようなサーボ機構は、アクチュエータに含まれる制御コイルに制御電圧を印加することにより行われるので、アクチュエータは外部と電気的に接続される必要がある。アクチュエータはフレキシブル配線基板を経由して接続される。
【０００６】
一方、光ピックアップ装置の製造方法では、アクチュエータをハウジングに収納した後に、スキュー調整が行われる。このスキュー調整では、アクチュエータが支持する対物レンズにより合焦されるレーザー光が、所定の位置となるように調整される。
【０００７】
しかしながら、スキュー調整の工程では、アクチュエータには既にフレキシブル配線基板が固着されている。また、フレキシブル配線基板はアクチュエータに対して面的に固着されている。従って、スキュー調整を行うべくアクチュエータを移動させようとすると、アクチュエータに接続されたフレキシブル配線基板により、アクチュエータの移動が阻害されるおそれがあった。更に、フレキシブル配線基板が捻れてしまう問題もあった。
【０００８】
また、アクチュエータの移動により、フレキシブル配線基板に曲げ応力や引張応力を与えたまま固着される場合もある。この応力が大きいと、使用状況下に於いて、温度変化、湿度変化や外部衝撃が光ピックアップ装置に作用した場合、フレキシブル配線基板が接続部から分離してしまう恐れがあった。
【０００９】
本発明はこの様な問題点を鑑みて成されたものであり、本発明の目的は、フレキシブル配線基板に過大な応力が残存することを防止する光ピックアップ装置およびその製造方法を提供することにある。
【課題を解決するための手段】
【００１０】
本発明の光ピックアップ装置は、第１主面と第２主面とを有するハウジングと、対物レンズを移動可能に保持するアクチュエータと、前記アクチュエータと電気的に接続されたフレキシブル配線基板と、を備え、前記ハウジングの前記第２主面を段差形状にした段差部に、前記フレキシブル配線基板の途中部分を曲折した曲折部を配置することを特徴とする。
【００１１】
本発明は、情報記録媒体にレーザー光を放射し、前記情報記録媒体で反射した前記レーザー光を検出する光ピックアップ装置の製造方法であり、第１主面と第２主面とを有するハウジングを用意し、対物レンズを移動可能に保持するアクチュエータを、フレキシブル配線基板に接続された状態で、前記ハウジングに組み込む工程と、前記対物レンズに前記レーザー光を放射させつつ、前記アクチュエータの位置を調整する工程と、を備え、前記組み込む工程では、前記フレキシブル配線基板の途中部分に設けた曲折部を、前記ハウジングの前記第２主面に設けた段差部に配置し、前記位置を調整する工程では、前記アクチュエータの位置調整に伴い、フレキシブル配線基板の前記曲折部が変形することを特徴とする。
【発明の効果】
【００１２】
本発明によれば、アクチュエータと接続されるフレキシブル配線基板に、階段状の曲折部を設けている。従って、スキュー調整の為にアクチュエータを移動・傾斜させても、これに伴いフレキシブル配線基板の曲折部が変形するので、アクチュエータの移動等がフレキシブル配線基板により阻害されることが無い。更には、アクチュエータの調整のための移動により、フレキシブル配線基板に過大な曲げ応力や引張応力が残存することが抑制されるので、使用状況下におけるフレキシブル配線基板の断線等が防止される。
【００１３】
更には、フレキシブル配線基板の曲折部は、ハウジングの段差部と密着しているので、曲折部が外部に突出することが無い。
【図面の簡単な説明】
【００１４】
【図１】本発明の光ピックアップ装置を示す図であり、（Ａ）は対物レンズが露出する面を上面にした光ピックアップ装置を示す斜視図であり、（Ｂ）は上下反転させた状態を示す斜視図である。
【図２】本発明の光ピックアップ装置を示す図であり、（Ａ）はアクチュエータと接続されるフレキシブル配線基板が配置される部分を拡大して示す斜視図であり、（Ｂ）はハウジングの段差部を示す斜視図である。
【図３】本発明の光ピックアップ装置に用いられるフレキシブル配線基板を示す図であり、（Ａ）は展開図であり、（Ｂ）は曲折されてハウジングに組み込まれる状態のフレキシブル配線基板を示す斜視図である。
【図４】本発明の光ピックアップ装置に組み込まれる光学素子を示す図である。
【図５】本発明の光ピックアップ装置の製造方法に於いて、アクチュエータがハウジングに組み込まれる状態を示す図である。
【図６】本発明の光ピックアップ装置の製造方法に於いて、スキュー調整の工程を示す図であり、（Ａ）はフレキシブル配線基板を示す図であり、（Ｂ）は位置調整されるアクチュエータを示す断面図である。
【発明を実施するための形態】
【００１５】
図１を参照して、本形態の光ピックアップ装置１０の構成を説明する。図１（Ａ）は対物レンズ３３が露出する光ピックアップ装置１０の主面を示す斜視図であり、図１（Ｂ）はその反対面のハウジング２８を示す斜視図である。尚、以下の説明では、対物レンズ３３が配置される主面を上面と称し、上面に対向する主面を下面と称する。
【００１６】
光ピックアップ装置１０は、ＢＤ（Ｂｌｕ−ｒａｙ  Ｄｉｓｃ）、ＤＶＤ（Ｄｉｇｉｔａｌ  Ｖｅｒｓａｔｉｌｅ  Ｄｉｓｋ）またはＣＤ（Ｃｏｍｐａｃｔ  Ｄｉｓｋ）規格のレーザー光を、光ディスク（情報記録媒体）の情報記録層に合焦させ、この情報記録層からの反射光を受光して電気信号に変換する機能を備えている。光ピックアップ装置１０は、例えば、ＢＤ用の発光チップ、ＤＶＤ用およびＣＤ用の発光チップを内蔵している。
【００１７】
光ピックアップ装置１０から放射されるレーザー光としては、ＢＤ規格のレーザー光（青紫色波長帯４００ｎｍ〜４２０ｎｍ）、ＤＶＤ規格のレーザー光（赤色波長帯６４５ｎｍ〜６７５ｎｍ）およびＣＤ規格のレーザー光（赤外波長帯７６５ｎｍ〜８０５ｎｍ）である。ここで、光ピックアップ装置１０は必ずしも３種類の規格のレーザー光に対応する必要はなく、１つまたは２つの規格のレーザー光に対応するタイプでも良い。
【００１８】
光ピックアップ装置１０は、樹脂材料や金属材料から成るハウジング２８と、このハウジング２８に内蔵された各種光学素子と、光学素子と電気的に接続されるフレキシブル配線基板を備えている。
【００１９】
ハウジング２８の上面には、対物レンズ３３を移動可能に保持するアクチュエータ３６が配置さる。更に、ハウジング２８の上面には、フレキシブル配線基板２６が折り畳まれた状態で固定されている。また、ハウジング２８の内部および側面には、各種光学素子が配置されている。尚、アクチュエータ３６以外の領域のハウジング２８の上面が、ステンレス等の金属板から成るカバーにより被覆されても良い。
【００２０】
ここで、ハウジング２８に備えられる光学素子は２種類に大別できる。具体的には、上記したレーザー光の発光および受光等を行うために、外部と電気的に接続される第１光学素子と、レーザー光の透過または反射を行うハーフミラー等の第２光学素子に大別される。本形態にてフレキシブル配線基板２６を経由して電気的に接続されるのは、第１光学素子であり、具体的には、上記したレーザー光を放射するＬＤ（ｌａｓｅｒ  ｄｉｏｄｅ）、レーザー光を受光するＰＤＩＣ（Ｐｈｏｔｏ  Ｄｅｔｅｃｔｏｒ  ＩＣ）、アクチュエータ３６等が該当する。更に、ノイズ対策等の為にフレキシブル配線基板２６に固着されるチップ抵抗や制御素子を内蔵したパッケージ等が第１光学素子に含まれて良い。ハウジング２８に内蔵される光学素子の詳細は図４を参照して後述する。
【００２１】
ハウジング２８は、射出成形で一体的に形成された樹脂材料や金属材料（例えばマグネシム）から成る。また、ハウジング２８の両端部分には、ガイド孔３０とガイド溝３２が設けられている。使用状況下に於いては、ガイド孔３０にはガイド軸が挿通され、ガイド溝３２には別のガイド軸が係合される。そして、光ピックアップ装置１０は、これらのガイド軸に沿って、ディスクの径方向に移動する。
【００２２】
本形態では、３つのフレキシブル配線基板が用いられている。具体的には、単層構造のフレキシブル配線基板２６（図１（Ａ）参照）と、多層配線構造を備えたフレキシブル配線基板３４（図１（Ａ）参照）と、アクチュエータ３６との接続に用いられるフレキシブル配線基板３８（図１（Ｂ）参照）が適用されている。
【００２３】
フレキシブル配線基板２６は、光ピックアップ装置１０に内蔵された第１光学素子を外部と接続する。更に、フレキシブル配線基板２６は、ハウジング２８に備えられた第１光学素子同士を電気的に接続する機能を備えている。また、フレキシブル配線基板２６は、複数回の曲折加工が施されて畳まれた状態で、ハウジング２８の上面部分に固定されている。フレキシブル配線基板２６は、光ピックアップ装置１０自体を外部と接続する機能を備えているので、メイン基板と称される場合もある。
【００２４】
一方、フレキシブル配線基板３４は、第１光学素子の１つであるＤＶＤ、ＣＤ用ＬＤと、このＬＤを制御する制御素子を内蔵するパッケージ２２とを接続し、基材の両主面に配線パターンが形成されている。そして、フレキシブル配線基板３４の両面に形成される配線パターンは、フレキシブル配線基板２６に形成される配線パターンよりも太く形成されている。このことにより、十分な応答特性が得られると共にノイズが軽減され、ＤＶＤ、ＣＤ用ＬＤにより安定して書き込み動作を行うことができる。
【００２５】
フレキシブル配線基板３８は、図１（Ｂ）に示すように、アクチュエータ３６とフレキシブル配線基板２６とを接続するための基板であり、ハウジング２８の下面を窪ませた凹状領域４６に配置されている。具体的には、アクチュエータ３６が備える制御用コイルが、フレキシブル配線基板３８の配線パターンと接続される。
【００２６】
図２を参照して、アクチュエータ３６と接続されるフレキシブル配線基板３８を説明する。図２（Ａ）はフレキシブル配線基板３８が配置される箇所を拡大して示す斜視図であり、図２（Ｂ）はこの部分のハウジング２８を示す斜視図である。
【００２７】
図２（Ａ）を参照して、本形態の光ピックアップ装置はノート型パソコンの光学ドライブに適用可能な薄型のものである。従って、光ピックアップ装置の外形を構成するハウジング２８も非常に薄型である。このことから、光学部品の中でも比較的厚いアクチュエータ３６の一部は、ハウジング２８の底部から露出している。
【００２８】
また、アクチュエータ３６は、印加される電圧に応じて対物レンズの位置を調整するため、フレキシブル配線基板３８を経由して外部と電気的に接続されている。そして本形態では、アクチュエータ３６を接続するフレキシブル配線基板３８は、ハウジング２８の下面に配置されている。
【００２９】
フレキシブル配線基板３８は、外部と接続されるフレキシブル配線基板２６とは別体である。具体的には、アクチュエータ３６はフレキシブル配線基板に接続された状態でハウジング２８に組み込む必要があるので、アクチュエータ３６はフレキシブル配線基板に接続された状態で用意される必要がある。しかしながら、メイン基板であるフレキシブル配線基板２６は比較的複雑な形状を備えた大型のものである。このことから、フレキシブル配線基板２６に接続された状態でアクチュエータ３６を保管すると、アクチュエータ３６が備える細長いワイヤが変形する恐れがある。そこで、本形態では、比較的小型で単純な形状を備えたフレキシブル配線基板３８をアクチュエータ３６に接続した状態で保管している。このようにすることで、保管時や搬送時に於いてアクチュエータ３６が備える細長いワイヤが破損することが防止される。
【００３０】
フレキシブル配線基板３８と、フレキシブル配線基板２６とは、接続部４０にて接続される。この接続部４０では、両フレキシブルシートに備えられる配線パターン同士が半田接続される。
【００３１】
フレキシブル配線基板３８は、ハウジング２８の下面を部分的に厚み方向に窪ませた凹状領域４６に収納されている。このようにすることで、フレキシブル配線基板３８の外部への突出が防止され、光ピックアップ装置の外形形状が小型になる。
【００３２】
更に、フレキシブル配線基板３８の途中部分を階段状に曲折させて曲折部５０が設けられている。このようにすることで、アクチュエータ３６の調整に伴いフレキシブル配線基板３８に応力が残存することが抑制される。具体的には、アクチュエータ３６の調整は、アクチュエータ３６をハウジング２８に組み込み、接続部４０でフレキシブル配線基板同士を接続した後に行われる。従って、仮に、フレキシブル配線基板３８が平らな状態であれば、アクチュエータ３６を調整のために移動させると、フレキシブル配線基板３８に曲げ応力や引張応力が残存したまま製品となる。
【００３３】
この対策として、フレキシブル配線基板３８の途中部分に曲折部５０を設けている。このようにすることで、フレキシブル配線基板３８が固着されたアクチュエータ３６を調整の為に移動させても、この移動は曲折部５０が変形することにより吸収される。結果的に、フレキシブル配線基板３８に応力が残存することが抑制される。更には、アクチュエータ３６の調子がスムーズになる。
【００３４】
ハウジング２８の下面には、フレキシブル配線基板３８の曲折部５０の形状に即した段差部４８が設けられている（図２（Ｂ）参照）。そして、フレキシブル配線基板の曲折部５０は、この段差部４８に当接している。このようにすることで、曲折部５０が外部に突出することが防止されている。
【００３５】
凹状領域４６の側壁を部分的に突起させることにより突起部４２が設けられており、この突起部４２に対応する箇所のフレキシブル配線基板３８に、切り欠き部４４が設けられている。従って、フレキシブル配線基板３８の切り欠き部４４を、ハウジング２８の突起部４２に嵌合させることにより、ハウジング２８の所定箇所に、フレキシブル配線基板３８が配置される。ここでは、一組の突起部４２および切り欠き部４４が示されているが、これらが複数個設けられても良い。
【００３６】
図３を参照して、アクチュエータと接続されるフレキシブル配線基板３８の構成を説明する。図３（Ａ）はフレキシブル配線基板３８を展開して示す平面図であり、図３（Ｂ）は曲折されてハウジング２８に組み込まれる状態のフレキシブル配線基板３８を示す斜視図である。
【００３７】
これらの図を参照して、フレキシブル配線基板３８は、アクチュエータと接続される接続部５４と、途中部分が１８０度曲折される湾曲部６０と、湾曲部６０と連続する配線部５６と、階段状に曲折される曲折部５０と、曲折部５０と連続する配線部５８と、フレキシブル配線基板２６と接続される接続部５２とを備えている。
【００３８】
接続部５４、５２では、半田接続のために配線パターンから成るパッドが露出している。また、アクチュエータと接続される接続部５４の端部はＵ字状に切り欠かれているが、これは、アクチュエータの側面に備えられるネジを避けるためである。また、接続部５４に配置されたパッドは、アクチュエータの側面に設けられた接続パッドと半田を介して接続される。
【００３９】
湾曲部６０は、その途中部分が１８０度曲折加工される。このことにより、フレキシブル配線基板３８が接続されるアクチュエータの移動がよりスムーズとなる。
【００４０】
曲折部５０の両端部では、フレキシブル配線基板３８が約９０度折り曲げられることで、階段状の曲折形状が実現される。
【００４１】
配線部５８の側辺に設けられた２つの切り欠き部４４が、ハウジングの突起部に嵌合することにより、ハウジングの所定箇所にフレキシブル配線基板３８が配置される。また、使用状況下のフレキシブル配線基板３８の移動や離脱も、切り欠き部４４がハウジングの突起部に嵌合することで防止される。
【００４２】
図３（Ｂ）に示すようなフレキシブル配線基板３８の曲折加工は、金型による押圧加工にて行われる。
【００４３】
ここで、フレキシブル配線基板３８は、単層の基板でも良いし多層の基板でも良い。単層の基板の場合は、厚みが１０μｍ程度のポリイミド等の樹脂材料から成る基材の一主面のみに、厚みが１０μｍ程度の銅からなる配線パターンが設けられる。更に、基材の一主面および配線パターンは、厚みが１０μｍ程度のポリイミドから成る被覆層により被覆される。
【００４４】
次に、図４を参照して、光ピックアップ装置１０のハウジングに収納される光学素子を説明する。
【００４５】
光ピックアップ装置１０の具体的な構成は、対物レンズ８２、８４と、立ち上げミラー８６、８８と、１／４波長板９０と、反射板９２、９４と、コリメートレンズ９６と、プリズム９８、１００と、アナモレンズ１０２と、ＰＤＩＣ１０４と、回折格子１１０、１１２と、レーザー装置１０６、１０８とを備えている。
【００４６】
本形態では、１つの光路を３つの規格のレーザー光で共有している。このことにより、３波長対応の光ピックアップ装置１０に必要とされる部品点数が削減される。従って、低コストが実現されると共に、光ピックアップ装置１０全体の小型化にも寄与する。
【００４７】
レーザー装置１０８は、ＢＤ規格のディスク８０に照射されるレーザー光を放射する発光素子をパッケージ化したものである。
【００４８】
レーザー装置１０６は、ＤＶＤ規格およびＣＤ規格のディスク８０に照射されるレーザー光を放射する発光素子のパッケージである。
【００４９】
ここで、レーザー装置１０６、１０８は、所謂ＣＡＮタイプのパッケージでも良いし、リードフレーム型のパッケージでも良い。
【００５０】
回折格子１１０は、レーザー装置１０６から放射されるレーザー光（ＤＶＤ規格またはＣＤ規格）を０次回折光、＋１次回折光及び−１次回折光に分離する機能を有する。
【００５１】
同様に、回折格子１１２は、レーザー装置１０８から放射されるＢＤ規格のレーザー光を、０次回折光、＋１次回折光及び−１次回折光に分離する機能を有する。
【００５２】
アナモレンズ１０２は、通過するレーザー光に収差を付与するためのレンズであり、アナモフィックレンズとも称されている。
【００５３】
ＰＤＩＣ１０４は、光検出器として機能する信号検出用のフォトダイオード集積回路素子が内蔵されており、ＢＤ規格、ＤＶＤ規格またはＣＤ規格のレーザー光を受光して情報信号成分を含む受光出力を発生する。更に、ＰＤＩＣ１０４は、フォーカスサーボおよびトラッキングサーボに用いられるサーボ信号成分を発生する。
【００５４】
プリズム１００は、レーザー装置１０８から放射されるＢＤ規格のレーザー光に対して、偏光選択性を有する反射面を内蔵している。レーザー装置１０８から放射されたＳ方向の直線偏光光であるレーザー光は、プリズム１００の反射面により＋Ｘ方向に反射される。また、ディスク８０により反射された復路の戻り光は、１／４波長板９０の作用によりＰ方向の直線偏光光とされており、プリズム１００の反射面を−Ｘ方向に透過する。
【００５５】
プリズム９８は、波長選択性および偏光選択性を有する反射面を内蔵している。具体的には、プリズム９８は、レーザー装置１０８から放射されるＢＤ規格のレーザー光を偏向方向に関わらず透過させる。一方、レーザー装置１０６から放射されるＤＶＤ規格およびＣＤ規格のレーザー光は、その偏光方向により、プリズム９８の反射面で反射または透過する。具体的には、レーザー装置１０６からはＤＶＤ規格またはＣＤ規格のレーザー光が放射され、これらのレーザー光はＳ方向の直線偏光光である。そして、レーザー装置１０６から＋Ｙ方向に放射されたレーザー光は、プリズム９８の反射面にて＋Ｘ方向に反射された後に、各種光学素子を介してディスク８０に至る。ディスク８０の情報記録層にて反射された戻り光であるレーザー光は、１／４波長板９０の作用でＰ方向の直線偏光光に変換されており、プリズム９８の反射面を＋Ｘ方向から−Ｘ方向に透過する。
【００５６】
コリメートレンズ９６は、レーザー装置１０６、１０８から放射されたレーザー光を平行光にするためのレンズである。
【００５７】
反射板９２、９４は、レーザー装置１０６、１０８から放射されたレーザー光を所定方向に反射するためのものである。ここで、反射板９２、９４がレーザー光を反射する反射率は１００％でも良いし、プリズム９８、１００の機能を補うために特定の波長や偏向方向のレーザー光の反射率を調節しても良い。
【００５８】
１／４波長板９０は、入射するレーザー光に位相差を生じさせる光学素子である。従って、レーザー装置１０６、１０８から放射されたＳ方向の直線偏光光のレーザー光が、１／４波長板９０を通過すると、円偏光光のレーザー光に変換される。更に、円偏光光とされたレーザー光が、ディスク８０の情報記録層にて反射されて再び１／４波長板９０を通過すると、Ｐ方向の直線偏光光のレーザー光に変換される。
【００５９】
立ち上げミラー８８は、周波数選択性を有する反射面を備えており、ＤＶＤ、ＣＤ規格のレーザー光を＋Ｙ方向に反射する一方、ＢＤ規格のレーザー光を−Ｘ方向に透過させる。
【００６０】
立ち上げミラー８６は、立ち上げミラー８８を透過したＢＤ規格のレーザー光を、＋Ｙ方向に反射させる。
【００６１】
対物レンズ８４は、立ち上げミラー８８により反射されたＤＶＤ規格およびＣＤ規格のレーザー光を、ディスク８０の情報記録層に合焦する。
【００６２】
対物レンズ８２は、立ち上げミラー８６により反射されたＢＤ規格のレーザー光を、ディスク８０の情報記録層に合唱する。
【００６３】
次に、上記のように構成された光ピックアップ装置１０の動作を説明する。読み取り動作と書き込み動作は基本的に同じであり、書き込み動作は読み取り動作よりも強度が高いレーザー光が用いられる。
【００６４】
先ず、ＤＶＤ規格およびＣＤ規格のレーザー光の光路を説明する。レーザー装置１０６から放射されたレーザー光は、回折格子１１０の回折作用により、０次回折光、＋１次回折光及び−１次回折光に分離される。ここで、レーザー装置１０６から放射されるレーザー光は、Ｓ方向の直線偏光光である。
【００６５】
そして、分離されたレーザー光は、プリズム９８の反射面にて反射した後に、反射板９４、９２にて反射されて１／４波長板を通過することにより、直線偏光光から円偏光光に変換される。
【００６６】
その後、円偏光光とされたレーザー光は立ち上げミラー８８にて反射された後に、対物レンズ８４によりディスク８０の情報記録層に合焦される。
【００６７】
ディスク８０の情報記録層により反射された戻り光であるレーザー光は、対物レンズ８４を通過した後に立ち上げミラー８８にて反射されて１／４波長板を通過する。このことにより円偏光光であるレーザー光は、Ｐ方向の直線偏光光に変換される。
【００６８】
偏光方向が変換されたレーザー光は、反射板９２、９４で反射された後に、コリメートレンズ９６を通過してプリズム９８、１００を透過し、アナモレンズ１０２にて収差が付与された後に、ＰＤＩＣ１０４に至る。
【００６９】
ＰＤＩＣ１０４では、情報が読み出されるとともに、読み出された情報に基づいてフォーカスサーボおよびトラッキングサーボが行われる。
【００７０】
次に、ＢＤ規格のレーザー光の光路を説明する。
【００７１】
先ず、レーザー装置１０８から、Ｓ方向の直線偏光光であるＢＤ規格のレーザー光が放射される。放射されたＢＤ規格のレーザー光は、回折格子１１２にて３つのレーザー光に分離された後に、プリズム１００の反射面にて反射される。反射されたレーザー光は、プリズム９８を透過した後にコリメートレンズ９６にて平行光に変換され、反射板９４、９２にて反射されて１／４波長板９０に至る。
【００７２】
１／４波長板９０で直線偏光光から円偏光光に変換されたレーザー光は、立ち上げミラー８８を透過して、立ち上げミラー８６の反射面で＋Ｙ方向の反射にされる。そして、レーザー光は、対物レンズ８２によりディスク８０の情報記録層に合焦される。
【００７３】
ディスク８０の情報記録層にて反射された戻り光のレーザー光は、対物レンズ８２を通過して立ち上げミラー８６にて反射された後に、立ち上げミラー８８を透過して１／４波長板９０に入射する。１／４波長板９０では、円偏光光のレーザー光が、Ｐ方向の直線偏光光のレーザー光に変換される。その後、Ｐ方向の直線偏光光であるレーザー光は、反射板９２、９４で反射されてコリメートレンズ９６を透過した後に、プリズム９８に至る。
【００７４】
Ｐ方向の直線偏光光であるＢＤ規格のレーザー光は、プリズム９８およびプリズム１００を透過して、アナモレンズ１０２にて収差が付与された後に、ＰＤＩＣ１０４に照射される。そして、ＰＤＩＣ１０４にて、情報が読み出されるとともに、読み出された情報に基づいてフォーカスサーボおよびトラッキングサーボが行われる。
【００７５】
本形態の形態では、フレキシブル配線基板により上記した各光学素子が接続される。具体的には、上記した光学素子の内、レーザー装置１０８およびＰＤＩＣ１０４が、図１に示した単層のフレキシブル配線基板２６により接続される。そして、レーザー装置１０６は、書き込み動作の為に大電流を流す必要があることから、幅広のパターンが両面に設けられたフレキシブル配線基板３４を経由して接続される。更には、上記した対物レンズ８２、８４はアクチュエータにより移動可能な状態で保持されるが、このアクチュエータは図２に示すフレキシブル配線基板３８を経由して接続される。
【００７６】
図５および図６を参照して、上記した構成の光ピックアップ装置の製造方法を説明する。
【００７７】
図５を参照して、先ず、光ピックアップ装置を構成する各光学部品を、ハウジング２８に組み込む。具体的には、図４にて説明した各種光学素子を、ハウジング２８に組み込む。
【００７８】
ここで、電気的に接続される光学素子（図４に示したレーザー装置１０６、１０８、ＰＤＩＣ１０４）は、フレキシブル配線基板２６またはフレキシブル配線基板３４にて接続された状態でハウジング２８に備えられる。更に、フレキシブル配線基板２６には、これらの光学素子を制御する素子や、特性を調整するための素子（抵抗、コンデンサ、コイル）等が半田を介して面接続されている。また、フレキシブル配線基板２６は、上記したように単層の配線構造であり、曲折部により複雑の曲折された状態でハウジングに備えられている。尚、電気的に接続されない他の光学素子（図４に示すプリズム１００等）は、絶縁性の接着材を介してハウジング２８内部の所定箇所に固着されている。
【００７９】
一方、アクチュエータ３６は、対物レンズ３３を移動させるためのコイルに電圧を印加する必要があるので、フレキシブル配線基板３８を経由して外部と接続される。また、フレキシブル配線基板３８が固着されるアクチュエータ３６の側面は、ハウジング２８の側壁内面と密着する箇所に配置される。従って、アクチュエータ３６をハウジング２８の収納領域６２に収納した後に、アクチュエータ３６にフレキシブル配線基板３８を接続することは困難である。
【００８０】
このことから、アクチュエータ３６は予めフレキシブル配線基板３８に接続された状態で、収納領域６２に収納される。また、フレキシブル配線基板３８は、ハウジング２８の収納領域６２を開口した開口部２９から、ハウジング２８の下面側に引き出される。更に、アクチュエータ３６の底面は、ハウジング２８の開口部２９から部分的に外部に露出する。
【００８１】
図６（Ａ）を参照して、次に、ハウジング２８の下面に引き出されたフレキシブル配線基板３８を、接続部４０にて、フレキシブル配線基板２６と接続する。具体的には、フレキシブル配線基板３８のパッドと、フレキシブル配線基板２６のパッドとを、半田を介して接続する。
【００８２】
本工程では、ハウジング２８の凹状領域４６にフレキシブル配線基板３８が収納されることにより、厚み方向へのフレキシブル配線基板３８の突出が抑制される。更に、フレキシブル配線基板３８の曲折部５０は、ハウジング２８の下面に設けた段差部４８に配置される。また、フレキシブル配線基板３８の切り欠き部４４を、ハウジング２８に設けた突起部４２に嵌合させることにより、ハウジング２８の所定箇所にフレキシブル配線基板３８が配置される。
【００８３】
図６（Ｂ）を参照して、次に、スキュー調整を行う。ここで、スキュー調整とは、対物レンズ７６により合焦されるレーザー光の出射光と入射光を、ディスクに対して垂直にすることである。
【００８４】
アクチュエータ３６の構造を説明する。アクチュエータ３６は、全体を機械的に支持するベース６４と、ベース６４に固定されたマグネット６６およびサスペンションホルダー７２と、サスペンションホルダーに保持されたサスペンションワイヤー６８と、サスペンションワイヤー６８により支持されるレンズホルダー７４と、レンズホルダー７４に組み込まれた対物レンズ７６と、レンズホルダー７４に組み込まれたコイル７０とを備えている。
【００８５】
各コイル７０は、それぞれが２つのサスペンションワイヤー６８を経由して、フレキシブル配線基板３８の接続部５４と接続されている。そして、サスペンションワイヤー６８を経由して電圧が印加されることでコイル７０から発生する磁界と、マグネット６６から発生する磁界との相互作用により、対物レンズ７６のトラッキングサーボおよびフォーカスサーボが行われる。
【００８６】
本形態では、対物レンズ７６を通過するレーザー光の進行方向が所定の方向と成ると共に、対物レンズ７６が所定位置にレーザー光を合焦するように、アクチュエータ３６の全体的な位置調整を行う。ここで、位置調整とは、Ｘ方向、Ｙ方向およびＺ方向に対する位置調整だけではなく、各軸周りの角度調整も含まれる。本形態では、この位置調整および角度調整は、アクチュエータ３６全体を移動または傾けることで行われる。
【００８７】
このスキュウ調整が終了したら、アクチュエータ３６とハウジング２８との間にエポキシ樹脂等の接着材を塗布して硬化させ、アクチュエータ３６を固定する。同様に、接着材を介してフレキシブル配線基板３８をハウジング２８に接着する。
【００８８】
ここで、スキュウ調整は、レーザー装置やＰＤＩＣ等の光学素子の位置調整の後に行ってもよいし、これらの工程の前に行っても良い。
【００８９】
上記したように、スキュウ調整では、アクチュエータ３６が全体的に移動および傾斜させている。従って、アクチュエータ３６の右側側面に固着されたフレキシブル配線基板３８も、この移動および傾斜の影響を受ける。このことから、フレキシブル配線基板３８が平坦の状態であれば、特にアクチュエータ３６を回転調整すると、フレキシブル配線基板３８が捩れるような応力が作用する。更には、フレキシブル配線基板３８が、外側に膨らむような変形が生じる恐れもある。
【００９０】
本形態では、フレキシブル配線基板３８の途中部分に、階段状の曲折部５０を設けている。従って、スキュウ調整に伴い、アクチュエータ３６の移動や傾きがあっても、曲折部５０が変形することでこれらが吸収される。従って、アクチュエータ３６の移動により、フレキシブル配線基板３８に応力が残存しない。更には、フレキシブル配線基板３８が外側に膨らむように変形することも抑止されている。
【００９１】
また、フレキシブル配線基板３８が平坦な状態であると、固着されたフレキシブル配線基板３８により、スキュウ調整でのアクチュエータ３６の移動が阻害されるおそれがある。本形態では、曲折部５０が変形することにより、アクチュエータ３６の移動や傾斜を許容している。従って、本形態では、スキュウ調整におけるアクチュエータ３６の移動がスムーズに行える利点がある。
【００９２】
上記工程が終了したら、各光学素子の位置確認等の確認工程を経て、図１に示すような光ピックアップ装置が製造される。
【符号の説明】
【００９３】
１０   光ピックアップ装置
１１   配線部
１４   配線パターン
２２   パッケージ
２６   フレキシブル配線基板
２８   ハウジング
２９   開口部
３０   ガイド孔
３２   ガイド溝
３３   対物レンズ
３４   フレキシブル配線基板
３６   アクチュエータ
３８   フレキシブル配線基板
４０   接続部
４２   突起部
４４   切り欠き部
４６   凹状領域
４８   段差部
５０   曲折部
５２   接続部
５４   接続部
５６   配線部
５８   配線部
６０   湾曲部
６２   収納領域
６４   ベース
６６   マグネット
６８   サスペンションワイヤー
７０   コイル
７２   サスペンションホルダー
７４   レンズホルダー
７６   対物レンズ
８０   ディスク
８２   対物レンズ
８４   対物レンズ
８６   立ち上げミラー
８８   立ち上げミラー
９０   １／４波長板
９２   反射板
９４   反射板
９６   コリメートレンズ
９８   プリズム
１００ プリズム
１０２ アナモレンズ
１０４ ＰＤＩＣ
１０６ レーザー装置
１０８ レーザー装置
１１０ 回折格子
１１２ 回折格子
【図１】
2012043498.tif 000003
【図２】
2012043498.tif 000004
【図３】
2012043498.tif 000005
【図４】
2012043498.tif 000006
【図５】
2012043498.tif 000007
【図６】
2012043498.tif 000008